(57)【要約】【課題】受信されるチャンネルごとの合計視聴時間を基に受信チャンネルの順位決定し、決定された順位を指定して受信を行うに際し、受信エリアが変更された場合であっても好適に所望のチャンネル選択を行う放送受信装置を実現することにある。【解決手段】受信される放送の受信チャンネルが他の受信チャンネルに変更されたか否かをチャンネル変更検出手段により検出し、受信チャンネルに変更が検出されたときには、受信可能なチャンネル数に対する変更されたチャンネル数の比を求め、変更されたチャンネル数の比が所定値を超えたときは受信チャンネルごとのメモリー１６に記憶される累積受信時間をクリアした後に受信して決定された受信チャンネル順位を基に放送受信を行うようにして放送受信装置を実現した。【選択図】図１
2005269162.tif 000002
【特許請求の範囲】
【請求項１】
チャンネル選択して受信された放送の受信時間をそれぞれの受信チャンネルごとに累積し、この累積された受信時間の長い順に受信チャンネルの順位を決定し、この決定に応じて指定された放送を受信するに際し、同一の放送エリア内でチャンネル変更された放送受信と、前記同一エリアとは異なる放送エリアに移動したときに行われるチャンネル変更される放送受信とを前記順位に基づいて行う放送受信の方法であって、
前記チャンネル変更を検出したときは、受信可能なチャンネルの数に対する変更した受信チャンネルの数の比を求める第１のステップと、
前記第１のステップで求めた比が所定値を超えたときは前記異なる放送エリアに移動したとみなし受信チャンネルごとの前記累積した受信時間をクリアする第２のステップと、
前記第２のステップの後に受信された放送の受信チャンネル順位を決定し、この決定に応じて指定された放送を受信するステップとを有することを特徴とする放送受信の方法。
【発明の詳細な説明】
【技術分野】
【０００１】
本発明は、テレビジョン視聴者の視聴実績を基にして作成した嗜好チャンネル情報を、テレビジョン受像機が設置される放送エリアが変更されたときなどには嗜好チャンネル情報も更新して作成し、更新された嗜好チャンネル情報を基に受信チャンネルの選択を行おうとするものである。
【背景技術】
【０００２】
近年、多チャンネル放送技術が進んだことと多様化社会が実現しつつあることにより、放送メディアもＣＡＴＶ、衛星放送、衛星通信放送等多くの放送メディアが用いられて豊富なチャンネルで多くの番組が放送される様になってきた。テレビジョン受像機がアナログ地上放送以外の放送メディア及び放送チャンネルを選択して受像する場合の操作回数が増す傾向にある。ユーザはリモコンボタンを多数回操作し、希望のチャンネルの番組を視聴することになる。チャンネル操作の簡易化が求められている。
【０００３】
例えば、特許文献１に次の開示がある。容易・迅速かつ確実にユーザが希望するチャンネルを選択するため、受信装置はユーザが過去に視聴した放送チャンネルの選択されている時間で示される視聴時間に基づいてチャンネル選択リストを生成し、記憶する。そのチャンネル選択リストと、受信装置に使用されるリモコンの操作キーを対応づける。ユーザはリモコンキーの操作により容易に自分のお気に入りチャンネルを選択して番組を視聴する機能を実現する。
【特許文献１】特開２００３−２０９７５５号公報
【発明の開示】
【発明が解決しようとする課題】
【０００４】
しかしながら、受信装置が放送受信エリア以外に移動されたときなどでは、移動前に作成したチャンネル選択リストを基に嗜好する放送チャンネルを選択しても、そのチャンネルで放送がなされていない場合は雑音のみが受信されるなどお気に入りチャンネルの選択機能はむしろ障害となる。ユーザ自らがチャンネル選択リストを初期化しない限り、古い履歴を基にした動作がなされてしまう。
【０００５】
そこで、チャンネル選択リストをクリアし新たな放送受信エリアにおける放送チャンネルの選択時間に係るデータを取得し、その結果によるお気に入りチャンネルの選択機能を動作させる必要がある。しかし、引越しなどで受信装置の取り扱い説明書をしまい込んでしまったときなどには専用の操作によるチャンネル選択リストのクリア操作を容易に行うことができない。
【０００６】
一方、地上波ディジタル放送が開始され、アナログの放送チャンネルは地上波ディジタル放送と干渉しない周波数に移動している。これは、俗にアナアナ変換と呼ばれている。上記のお気に入りチャンネルがアナアナ変換の対象となり、変更されたときにはチャンネル選択リストのチャンネルも同時に変更できれば、その時点までに蓄積したユーザの嗜好情報は引き続き利用可能である。
【０００７】
そこで、本発明は、受信されるチャンネルに変更が生じたときにはそれを検出し、検出された変更が受信エリアの変更によるものか、または同一エリア内におけるチャンネルの移動であるかを検出する。受信エリアの変更として検出されたときには従来から蓄積したチャンネル選択リストをクリアし、新たに取得するデータを基にお気に入りチャンネルの設定を行う。チャンネルの一部移動であるときにはチャンネルの変更情報を取得し、従来得たチャンネル選択リストの内容を利用する。お気に入りチャンネルの選択を容易に出来る受信装置を実現しようとするものである。
【課題を解決するための手段】
【０００８】
本発明は、上記課題を解決するために以下の手段より成るものである。
【０００９】
すなわち、
チャンネル選択して受信された放送の受信時間をそれぞれの受信チャンネルごとに累積し、この累積された受信時間の長い順に受信チャンネルの順位を決定し、この決定に応じて指定された放送を受信するに際し、同一の放送エリア内でチャンネル変更された放送受信と、前記同一エリアとは異なる放送エリアに移動したときに行われるチャンネル変更される放送受信とを前記順位に基づいて行う放送受信の方法であって、
前記チャンネル変更を検出したとき（１５１）は、受信可能なチャンネルの数に対する変更した受信チャンネルの数の比を求める第１のステップ（１５）と、
前記第１のステップで求めた比が所定値を超えたときは前記異なる放送エリアに移動したとみなし受信チャンネルごとの前記累積した受信時間をクリアする第２のステップ（１６）と、
前記第２のステップの後に受信された放送の受信チャンネル順位を決定し、この決定に応じて指定された放送を受信するステップ（１５）とを有することを特徴とする放送受信の方法。
【発明の効果】
【００１０】
本発明の放送受信の方法によれば、以下に示す効果を提供することができる。
【００１１】
すなわち、
受信エリアが変更され、受信される放送のうち多数の受信チャンネルが異なる受信チャンネルに変更されたときは受信チャンネルごとの累積受信時間をクリアするようにしているため、煩雑な操作を行わずに変更された受信エリアにおいて受信チャンネル順位を指定し、所望の受信チャンネルを選択する、好適な操作性を有する放送受信装置を実現できる。
【発明を実施するための最良の形態】
【００１２】
以下、本発明の放送受信の方法の実施の形態につき、好ましい実施例により説明する。
【００１３】
図１に、その第１の実施例に関わる放送受信装置の概略構成を示し、図面を参照し説明する。
【００１４】
同図に示す放送受信装置１は、チューナ１１、ＴＳ（Transport Stream）デコーダ１２、ＡＶ（Audio visual）デコーダ１３、映像多重部１４、システムコントローラ１５、メモリー１６、及び表示制御部１８より構成される。チューナ１１にはアンテナが接続される。映像多重部１４にはモニタ３が接続される。システムコントローラ１５には操作入力部が接続される。システムコントローラ１５には初期化検出部１５１が内蔵されいる。
【００１５】
まず、操作入力部が操作され、または図示しないリモコンの選局ボタンが操作され、システムコントローラ１５に受信すべき放送チャンネルが設定される。設定された受信チャンネル情報はチューナ１１に入力される。
【００１６】
チューナ１１は、入力された受信チャンネルに係る信号を基に、ＵＨＦ／ＶＨＦアンテナから入力される信号、または衛星放送受信用のパラボラアンテナから供給される第１中間周波信号のいずれかの信号を切換えて入力し、指定されたチャンネルの放送波を受信する。
【００１７】
ここで、受信する信号がディジタル衛星放送、ディジタルＣＳ放送、ないしはディジタル地上放送であるときはチューナ１１から得られる信号はトランスポートストリーム（ＴＳ）によるビットストリームである。そのＴＳ信号はＴＳデコーダ１２に供給され、そこで復号される。
【００１８】
そのＴＳ信号はパケット化され、圧縮符号化されたディジタルオーディオ信号、圧縮符号化されたディジタルビデオ信号、及び番組やチャンネルの付加情報に係るパケット化データなどである。ディジタルオーディオ及びディジタルビデオ信号はＡＶデコーダ１３に供給され、そこで例えばＭＰＥＧ（moving picture experts group）−２により符号化された信号は復号化され、オーディオ信号及びビデオ信号が得られる。それらの信号は映像多重部１４を介してモニタ３に供給され、そこで発音、表示される。なお、受信される信号がアナログ放送であるときにはチューナ１１で復調された映像信号は映像多重部１４に入力される。
【００１９】
ＴＳデコーダ１２より得られた付加情報に係るパケット化データはシステムコントローラ１５に供給される。システムコントローラ１５では供給されたデータの中から受信中の放送に係る情報が取得され、取得された情報は視聴者の視聴時間を基に嗜好する放送チャンネル一覧として作成され、メモリー１６に記憶される。記憶された情報は集計され、後述の視聴履歴テーブル作成用情報として使用される。
【００２０】
システムコントローラ１５で作成された視聴履歴テーブルはユーザが操作入力部又はリモコンを操作してモニタ３に表示出来る。即ち、視聴履歴テーブルは表示制御部１８により表示用のビットマップ信号として生成され、映像多重部１４により受信中の映像信号にスーパーポーズされるようにして表示される。
【００２１】
視聴履歴テーブルはユーザが放送受信装置１により受信を開始するときにモニタ３に表示される。表示された視聴履歴テーブルの中で、最も視聴時間の長い放送チャンネルまたは視聴を希望する放送チャンネルを指定することによりシステムコントローラ１５ではディジタル衛星放送、ディジタルＣＳ放送、ディジタル地上放送、ないしはアナログ地上放送などの受信方式に係る選択、その受信方式で放送されるチャンネルの選択、及びその放送チャンネルで複数のサブチャンネルの放送がなされているときにはサブチャンネルの指定も同時に行われる。
【００２２】
次に、放送受信装置１が引越しなどで移動されたときにはシステムコントローラ１５に内蔵される初期化検出部１５１は放送エリアが異なる地域に変更されたことを検出する。その検出は一部の地上放送チャンネルが変更されたか、又は多数の放送チャンネルが変更されたかのどちらであるかにより検出される。
【００２３】
一部の放送チャンネルが変更されたとして検出されたときには変更されたチャンネルに係る情報を得、得られた情報を基に視聴履歴テーブルの受信チャンネルの変換を行う。例えばディジタル地上放送の導入に係るアナアナ変換で放送チャンネルが変更されたときには、視聴に基づき蓄積された履歴テーブルの受信チャンネルを変更されたチャンネルに対する履歴テーブルとして更新する。
【００２４】
更新された視聴履歴テーブルを基に、蓄積された視聴履歴テーブルの情報を用いた番組の受信機能が維持される。
【００２５】
一方、多数の放送チャンネルが変更された場合は、方送受信装置１は従来と異なる地域に移動された場合であり、それらの場合には視聴履歴テーブルの内容を初期化する。初期化するタイミングは、放送受信装置が移動され、放送エリアが変更されたことを受信チャンネルの設定操作により検出されたときに行う。
【００２６】
また、放送受信装置の所有者（使用者）が変更されたときには、装置に記憶される所有者に係る情報などが初期化される。所有者が変更されたときには新たな所有者に対する嗜好に合わせてチャンネル選択を行う。嗜好システムコントローラ１５は、初期化機能の実行を検出し、検出されたときに視聴履歴テーブルの内容を初期化する。
【００２７】
以上、放送受信装置１における視聴履歴情報テーブルの作成、視聴履歴情報テーブルを用いて行う放送の受信、更には視聴履歴情報テーブルの更新、及び初期化について述べた。
【００２８】
次に、視聴履歴情報テーブルについて更に述べる。
【００２９】
図２に、視聴履歴情報テーブルの記述例を示し、図面を参照して説明する。
【００３０】
同図において、１日を２４等分した１時間ごとに受信チャンネルごとの累積視聴時間が２４枚のテーブルにより記述されている。時刻Ｔ１におけるベスト１０は午前０時台での受信チャンネルごとの視聴時間の累計を多い順に１０の受信チャンネルについて示したものである。
【００３１】
その視聴履歴情報としては、チャンネル番号、チャンネル付加情報および総視聴時間が記述される。システムコントローラ１５は、受信されるチャンネルがベスト１０に属するチャンネルであるときはそのチャンネルの受信ごとに視聴時間を更新する。更新された視聴時間が、それよりも順位の高い番組の視聴時間を超えたときには順位を入れ替える。ベスト１０にない番組が視聴され、１０位の視聴時間を超えたときには、１０位のチャンネルを新たなチャンネルに入れ替える。
【００３２】
同様にして他の時間帯における視聴チャンネルごとの視聴累積時間を作成する。作成された視聴履歴情報テーブルは、操作によりその時刻における順位情報として表示される。ユーザは表示されたチャンネルの順位をリモコンの１０キーで指定することによりそのチャンネルの受信が開始される。
【００３３】
視聴履歴情報テーブルは、ユーザの嗜好に基づき受信されるチャンネル情報を基に作成されたテーブルであるため、例えば放送受信装置の使用者が変更されたときには過去の累積視聴時間に係るデータは不要となる。
【００３４】
例えば、使用者の名前、生年月日等に係る情報が書き替えられた時には過去の累積視聴時間に係るデータを消去し、新たなユーザの視聴履歴を基にして新たな視聴履歴情報テーブルを作成する。また、移転により従来と異なる放送サービスエリアに移動され、放送受信装置の設置場所が変更された時には過去の累積視聴時間に係るデータを消去する。それは、同一の放送チャンネルにおいて異なる放送者系列の受信がなされる場合では、移動前の設置場所で蓄積されたチャンネルごとの累積視聴時間データの意味が無くなるからである。
【００３５】
一方、地上波ディジタル放送の開始に係り、ディジタル放送チャンネルとアナログ放送チャンネルとの干渉を防止するために一部のアナログ放送チャンネルの変更がなされる、いわゆるアナアナ変換に対しては過去に蓄積した視聴履歴情報テーブル情報を消去せず、チャンネルの順位を指定するような簡易な受信チャンネル選択機能をそのまま活用できるようにする。
【００３６】
図３に、視聴履歴情報テーブルの作成及び消去に係る動作をフローチャートで示し、説明する。
【００３７】
まず、放送受信装置１の操作入力部の操作情報がシステムコントローラ１５に供給され、チューナ１１の受信チャンネルが選択されたときに、Ｓ（ステップ）６１において選択された受信チャンネルが、現在時刻に対応する視聴履歴情報テーブルに存在しているかをチェックする。存在しているときにはシステムコントローラ１５の図示しない視聴時間カウンターに視聴履歴情報テーブルの視聴時間（Ｖｔ）を入力する。存在しないときには視聴時間カウンターに０を入力する。
【００３８】
視聴時間カウンターは受信チャンネルが新たなチャンネルにセットされるまでの視聴時間を例えば１分ごとに１を加算（インクリメント）する。次にＳ６２においてチャンネル選択操作がなされたかを検出する。操作が検出されないときにはＳ６７以降の動作を行い、一連の動作の後にＳ６２を実行する。
【００３９】
チャンネル選択操作が検出されたときに、視聴時間に０を入力した受信チャンネルの視聴時間が１０位の総視聴時間を超えた時には１０位のチャンネル番号欄のデータを新たな受信チャンネルに係るデータに書き替える。受信していたチャンネルが１０位以内のチャンネルであった場合はそのチャンネル番号の視聴時間を視聴時間カウンターの時間に書き替える。
【００４０】
Ｓ６３では更新結果を基に視聴履歴情報テーブルで順位の変更があったか否かを検出する。順位が変更された場合にはＳ６４で登録チャンネルの順位を入れ替える。Ｓ６４の終了後、及びＳ６３で登録チャンネルの順位が変更されないときにはＳ６５において、Ｓ６２で選択された受信チャンネルの受信を開始する。
【００４１】
Ｓ６６では、新たに受信されるチャンネルについて上記と同様の方法により視聴時間カウンターの時間情報をセットし、セットした時間情報を視聴時間ごとにインクリメントする。新たな番組の視聴はＳ６７以降の動作を繰り返しつつ次の新たなチャンネル選択がなされるまで継続される。次の新たなチャンネル選択がＳ６２で検出されたときには視聴履歴情報テーブルの更新が上記と同様に行われる。
【００４２】
次に、Ｓ６７以降の動作について述べる。
【００４３】
Ｓ６７において、視聴履歴情報テーブルに記憶される視聴時間をクリアするための履歴クリアキー操作がなされた否かがを検出される。履歴クリアキー操作は複数の所定のキーが同時に操作された場合、またはメニュー画面を表示させ、所定のキーが所定の順に操作された場合に視聴履歴クリア操作がなされたとして検出される。
【００４４】
上記のキー操作がなされ、視聴履歴クリア操作がなされたとして検出されたときはＳ７２において視聴履歴情報テーブルのチャンネル番号、チャンネル情報、及び視聴時間の全てのデータがクリアされる。チャンネル操作に係り蓄積された履歴情報の全データが初期化される。
【００４５】
Ｓ６７において視聴履歴クリアの操作が検出されないときには、Ｓ６８で受信チャンネルのプリセットキー操作がなされたかを検出する。受信チャンネルのプリセットは放送受信装置の購入時点、及び引越しなどで放送受信エリアが変更されたときになされる操作である。
【００４６】
受信チャンネルのプリセット操作がなされたときにはＳ６９において郵便番号、又は電話番号などを入力してチャンネル設定を行った後Ｓ７２において視聴履歴全データのクリアがなされる。
【００４７】
Ｓ６８でチャンネルプリセットキー操作が検出されないときはＳ７０においてユーザ情報のクリアキー操作がなされたかを検出する。操作が検出されたときにはＳ７１で所有者の氏名、住所等の個人情報がクリアされ、その後Ｓ７２で視聴履歴全データがクリアされる。
【００４８】
Ｓ７２で視聴履歴全データのクリアがなされた後、及びＳ７０でユーザ情報のクリアキー操作が検出されないときにはＳ７３で視聴履歴情報テーブルに基づくチャンネル視聴順位情報の表示要求操作がなされたかを検出する。検出されたときにはＳ７４でリストを表示する。表示後はＳ６２以降の動作を繰り返す。また、その表示を基にチャンネル選択操作がなされたときには上記のＳ６２で選局キー操作を検出し、上記の動作を繰り返す。
【００４９】
上述の動作において、視聴履歴情報テーブルは各時間ごとに視聴されるチャンネルの累積時間情報を集計するようにして更新される。従って、例えば放送受信中に時間が例えば１９時５９分から２０時００分に変更されるときには、１９時５９分５９秒で視聴を終了したものとして１９時台の視聴履歴情報テーブルを更新する。
【００５０】
その後、２０時０分０秒から同一の受信チャンネルが選択されて受信が開始されたものとして２０時台の時刻情報を基にした視聴時間カウンターへの新たなＶｔデータのロード及び分ごとの視聴時間のインクリメントを行う。
【００５１】
上述の例では１時間ごとに２４枚の視聴履歴情報テーブルを作成し、視聴時刻ごとのチャンネル情報により嗜好チャンネルを容易にアクセスして視聴する例について述べた。嗜好チャンネルの時間ごとの整理は１時間ごとに限ることなく例えば４時間ごとに順位をつけて嗜好チャンネルを探し当てるようにしてもよい。
【００５２】
また、放送番組の編成は１週間単位で繰り返されることが多いため、４時間ごとに１週間分の嗜好チャンネルに係る視聴履歴情報テーブルを作成するようにしてもよい。その場合では毎週視聴している番組をうっかり見逃してしまうことを防ぐようにして視聴することが出来る。
【００５３】
放送エリアの変更がなく、使用者が同一である場合には、１週間単位で同一の受信チャンネルが繰り返して視聴されるケースが多い。従って、例えばアナアナ変換により一部の放送チャンネルが変更された場合は順位の高い放送チャンネルが受信されなく、新しい放送の受信がなされるようになる。
【００５４】
１つの放送チャンネルが変更されたときには、視聴履歴情報テーブルのチャンネル番号を共に変更することにより蓄積された視聴時間情報を継続して用いることが出来る。そして、複数の放送チャンネルが変更されるときには変更前後におけるチャンネルの対応関係を知る必要がある。
【００５５】
１週間ごとに集計された視聴履歴情報テーブルは同一の視聴傾向を示すため、チャンネル変更前後の視聴時間率を比べることにより放送者ごとのチャンネル対応テーブルを作成することが出来る。その対応テーブルを基に視聴履歴情報テーブルのチャンネル番号を修正し、過去に蓄積した受信データを基に嗜好チャンネルを好適に選択可能な放送受信装置を構成できる。
【００５６】
以上、所定時間間隔ごとに視聴履歴情報テーブルを作成し、作成されたテーブルを基に嗜好する放送チャンネルを容易に選択して視聴する放送受信装置において、受信チャネルプリセット操作、又はユーザ情報のクリア操作がなされたときに視聴履歴情報テーブルの記憶内容をクリアする様にし、放送受信エリアが変更された場合、又は装置の使用者が変更された場合に過去の履歴の影響を受けることなく、好適に嗜好するチャンネルを選択して受信することができると共に、放送チャンネルの一部が変更されたときには視聴履歴情報テーブルのチャンネル番号を変更することにより蓄積された視聴履歴情報テーブルを用い、簡易な操作で受信チャンネル選択ができる放送受信装置の構成とその動作について述べた。
【００５７】
ディジタル放送受信装置の場合では付加情報として受信される番組情報を用いて受信チャンネルの放送者を識別することが出来るため、受信チャンネル変更時の視聴履歴情報テーブルに記述されるチャンネル番号の変更も容易に出来る。
【００５８】
そして、地上波デジタル放送の場合、放送チャンネルの変更に係る情報が周波数リパッキングの告知情報として伝送される。地上波ディジタル放送の受信装置は、例えば電源投入時等にＳＤＴＴ（Software Download Trigger Table）と称するセクションデータを監視する。
【００５９】
リパッキング告知情報が受信されるときにはその情報を基に、リパッキング実施時に視聴履歴情報テーブルのチャンネル番号を入れ替える、または視聴履歴情報テーブルに蓄積される情報をクリアするようにしてもよい。
【００６０】
しかし、地上波アナログ放送の場合では例えば垂直同期区間に放送者情報又は番組情報が付加されて受信されるときにはその情報を基に受信チャンネル変更情報を得ることが出来るが、そのようなサービスはなされていない。そこで視聴履歴情報テーブルを基に受信チャンネルの変更情報を得るようにする。
【００６１】
視聴履歴情報テーブルを用いるチャンネル選択は、放送媒体が地上波アナログ放送、アナログ衛星放送、ディジタル衛星放送、ディジタル通信衛星の放送受信、更には地上波ディジタル放送などの受信すべき媒体の選択、チャンネルの選択、およびサブチャンネルの選択などの複数の切換えを、順位情報を指定することによりワンタッチで実行することが出来るため、多くの放送媒体を選択して受信する放送受信装置に対して好適なチャンネル選択を行って受信する放送受信装置を構成することができる。
【産業上の利用可能性】
【００６２】
複数の放送媒体が用いられ、多数のチャンネルで受信される番組を、使用者の嗜好情報を基に簡易な操作によりチャンネル選択を行うことのできる放送受信装置の実現に利用できる。
【図面の簡単な説明】
【００６３】
【図１】本発明の実施例に係る、放送受信装置の概略構成を示す図である。
【図２】本発明の実施例に係る、視聴履歴情報テーブルの記述例を示す図である。
【図３】本発明の実施例に係る、視聴履歴情報テーブルの作成及び消去動作を示したフローチャートである。
【符号の説明】
【００６４】
１    放送受信装置
３    モニタ
１１    チューナ
１２    ＴＳデコーダ
１３    ＡＶデコーダ
１４    映像多重部
１５    システムコントローラ
１６    メモリー
１８    表示制御部
１５１    初期化検出部
【図１】
2005269162.tif 000003
【図２】
2005269162.tif 000004
【図３】
2005269162.tif 000005